(57)【要約】【課題】アウターを汚さずにリバーシブル可能なパッドタイプ吸収性物品を提供する。【解決手段】上記課題は、吸収体２３を内蔵し、表裏両面から吸収可能な本体部１と、本体部１の表裏両面に対して着脱自在であり、かつ装着面を被覆可能な液不透過性のカバーシート４０と、を備え、本体部１におけるカバーシート４０の装着面を選択的に変更可能である、ことを特徴とするリバーシブル型パッドタイプ吸収性物品により解決される。【選択図】図７
2015123183.tif 000002
【特許請求の範囲】
【請求項１】
吸収体を内蔵し、表裏両面から吸収可能な本体部と、
前記本体部の表裏両面に対して着脱自在であり、かつ装着面を被覆可能な液不透過性のカバーシートと、を備え、
前記本体部における前記カバーシートの装着面を選択的に変更可能である、
ことを特徴とするリバーシブル型パッドタイプ吸収性物品。
【請求項２】
前記本体部の両側部に立体ギャザーがそれぞれ前後方向に沿って延在されており、
前記立体ギャザーは、本体部の側部に固定された付根部分と、この付根部分から本体部の使用側に突出する突出部分と、この突出部分のうち前後端部にそれぞれ設けられた倒伏部分と、前記突出部分のうち前後の前記倒伏部分間に位置する非固定の自由部分と、この自由部分の少なくとも先端部に、前後方向に伸張した状態で固定されたギャザー弾性部材とを有しており、
前記突出部分は、前記付根部分から幅方向中央側に向かって延出する基端側部分と、この基端側部分の先端から幅方向外側に折り返された先端側部分とからなり、
前記倒伏部分には、前記基端側部分の内面と前記本体部とを着脱可能に係止する基端側係止手段と、前記先端側部分の外面と前記基端側部分の外面とを着脱可能に係止する先端側係止手段とが設けられており、これら基端側係止手段及び先端側係止手段による係止により前記突出部分の前後端部が倒伏状態で本体部に対して固定される、請求項１記載のリバーシブル型パッドタイプ吸収性物品。
【請求項３】
前記カバーシートの表裏両面にズレ止め部が設けられている、請求項１又は２記載のリバーシブル型パッドタイプ吸収性物品。
【請求項４】
前記カバーシートは、その前後両端部が前記本体部の前後両端部にそれぞれ固定されるとともに、これら固定部間の部分における少なくとも一方の固定部側の端部にカバーシートを破断するためのミシン目が設けられており、
前記ズレ止め部は前記カバーシートを前記本体部に着脱自在に固定するものである、請求項１〜３のいずれか１項に記載のリバーシブル型パッドタイプ吸収性物品。
【請求項５】
前記カバーシートの両側部に弾性部材が取り付けられており、この弾性部材の収縮により前記カバーシートの両側部が前後方向に伸長可能に収縮されている、請求項１〜４のいずれか１項に記載のリバーシブル型パッドタイプ吸収性物品。
【請求項６】
前記本体部は、液不透過性シートと、この液不透過性シートの表裏両側にそれぞれ設けられた前記吸収体と、表側の吸収体の表側及び裏側の吸収体の裏側を覆う液透過性シートとを備えている、請求項１〜５のいずれか１項に記載のリバーシブル型パッドタイプ吸収性物品。
【発明の詳細な説明】
【技術分野】
【０００１】
本発明は、リバーシブル型パッドタイプ吸収性物品に関するものである。
【背景技術】
【０００２】
尿とりパッド等のパッドタイプ使い捨ておむつや生理用ナプキン等のようなパッドタイプ吸収性物品においては、一回限りの使い捨てが主流となっているが、使用者の経済的負担の軽減や、携帯する製品にあっては携帯数の低減を目的として、実質的に新しい状態での使用を複数回行い得る吸収性物品が提案されている。
【０００３】
例えば特許文献１では、吸収性シートを一枚ずつ取り外し可能に積層した吸収性物品が開示されている。この吸収性物品は、取り外した吸収性シートを一々廃棄せねばならず、次ぐに廃棄できない場合は持ち運ぶ必要がある点が問題となる。
【０００４】
これに対して、特許文献２記載の構造のものは、非通液性シートの両面に吸収体を配置し、両面からの吸収を可能ならしめたものであるが、表面及び裏面を順に使用する（以下、リバーシブルともいう）ものではなく、そのような使用も想定していない。仮に特許文献２記載のものをリバーシブル使用した場合、肌側の面は実質的に新しい状態となるが、反対面が排泄物により汚れた状態となり、そのまま使用すると外側に位置するアウター（テープタイプやパンツタイプの使い捨ておむつの内面や、下穿き、ズボン等の衣類）の内面を汚してしまうことになる。
【先行技術文献】
【特許文献】
【０００５】
【特許文献１】特開２０１１−７２３３５号公報
【特許文献２】特開２００９−１７８２３５号公報
【発明の概要】
【発明が解決しようとする課題】
【０００６】
そこで、本発明の主たる課題は、アウターを汚さずにリバーシブル可能なパッドタイプ吸収性物品を提供することにある。
【課題を解決するための手段】
【０００７】
上記課題を解決した本発明は次記のとおりである。
＜請求項１記載の発明＞
吸収体を内蔵し、表裏両面から吸収可能な本体部と、
前記本体部の表裏両面に対して着脱自在であり、かつ装着面を被覆可能な液不透過性のカバーシートと、を備え、
前記本体部における前記カバーシートの装着面を選択的に変更可能である、
ことを特徴とするリバーシブル型パッドタイプ吸収性物品。
【０００８】
（作用効果）
本発明では、本体部が表裏両面から吸収可能であるため、表裏入れ替えて使用することで実質的に新しい状態で２回の使用が可能となる。しかも、カバーシートの装着面を選択的に変更可能であるため、カバーシートを使用済みの面に装着することで、使用済みの面を被覆することができ、使用済みの面がアウターを汚すのを防止することも可能となる。
【０００９】
＜請求項２記載の発明＞
前記本体部の両側部に立体ギャザーがそれぞれ前後方向に沿って延在されており、
前記立体ギャザーは、本体部の側部に固定された付根部分と、この付根部分から本体部の使用側に突出する突出部分と、この突出部分のうち前後端部にそれぞれ設けられた倒伏部分と、前記突出部分のうち前後の前記倒伏部分間に位置する非固定の自由部分と、この自由部分の少なくとも先端部に、前後方向に伸張した状態で固定されたギャザー弾性部材とを有しており、
前記突出部分は、前記付根部分から幅方向中央側に向かって延出する基端側部分と、この基端側部分の先端から幅方向外側に折り返された先端側部分とからなり、
前記倒伏部分には、前記基端側部分の内面と前記本体部とを着脱可能に係止する基端側係止手段と、前記先端側部分の外面と前記基端側部分の外面とを着脱可能に係止する先端側係止手段とが設けられており、これら基端側係止手段及び先端側係止手段による係止により前記突出部分の前後端部が倒伏状態で本体部に対して固定される、請求項１記載のリバーシブル型パッドタイプ吸収性物品。
【００１０】
（作用効果）
使い捨ておむつや生理用ナプキン等の吸収性物品においては、脚周りに対するフィット性を高めるために、幅方向両側部に、身体側に突出する立体ギャザーがそれぞれ前後方向に沿って延在しているものが一般的となっている。しかし、従来の立体ギャザーは表側にのみ突出する構造であり、リバーシブルとはなっていないため、そのままではリバーシブル型である本発明の吸収性物品には適用できない。これに対して、本項記載の構造を採用すると、基端側係止手段及び先端側係止手段による係止を外して、突出部分を本体部の反対側に裏返した状態で、再び基端側係止手段及び先端側係止手段をそれぞれ係止し、倒伏部分を形成することにより、反対側の面に立体ギャザーを移動させることができる。
【００１１】
＜請求項３記載の発明＞
前記カバーシートの表裏両面にズレ止め部が設けられている、請求項１又は２記載のリバーシブル型パッドタイプ吸収性物品。
【００１２】
（作用効果）
このようなズレ止め部を有することにより、カバーシートが本体部の表裏いずれ側にあっても、カバーシート及び本体部間のズレ、並びに本体部及びアウター間のズレの両方を止めることができるようになる。
【００１３】
＜請求項４記載の発明＞
前記カバーシートは、その前後両端部が前記本体部の前後両端部にそれぞれ固定されるとともに、これら固定部間の部分における少なくとも一方の固定部側の端部にカバーシートを破断するためのミシン目が設けられており、
前記ズレ止め部は前記カバーシートを前記本体部に着脱自在に固定するものである、請求項１〜３のいずれか１項に記載のリバーシブル型パッドタイプ吸収性物品。
【００１４】
（作用効果）
カバーシートは全体を本体部から着脱自在とすることもできるが、カバーシートの装着面を変更するときにカバーシートを落としてしまうおそれや、適切な位置に装着できないおそれがある。これに対して、上述のようにミシン目を設けてズレ止め部によりカバーシートを本体部に着脱自在に固定可能な構造とすると、カバーシートを前後方向のいずれか一方の端部で切り離し、他方は繋げたまま、切り離した方の端部を掴んで本体部の反対面に回してズレ止め部で当該反対面に固定することにより、カバーシートの装着面を変更することができる。この際、カバーシートの全体を本体部から切り離さないため、カバーシートを落としてしまうおそれがなくなり、また、適切な位置に装着し易くなる。
【００１５】
＜請求項５記載の発明＞
前記カバーシートの両側部に弾性部材が取り付けられており、この弾性部材の収縮により前記カバーシートの両側部が前後方向に伸長可能に収縮されている、請求項１〜４のいずれか１項に記載のリバーシブル型パッドタイプ吸収性物品。
【００１６】
（作用効果）
このように弾性部材を設けて収縮力を作用させることによっても、本体部に対するカバーシートのズレを防止することができる。
【００１７】
＜請求項６記載の発明＞
前記本体部は、液不透過性シートと、この液不透過性シートの表裏両側にそれぞれ設けられた前記吸収体と、表側の吸収体の表側及び裏側の吸収体の裏側を覆う液透過性シートとを備えている、請求項１〜５のいずれか１項に記載のリバーシブル型パッドタイプ吸収性物品。
【００１８】
（作用効果）
このように吸収体を二層構造とし、吸収体間を液不透過性シートで遮断することにより、吸収液が表裏いずれか一方側の吸収体から他方側の吸収体に移行しないため、液不透過性シートの使用側で排泄物を吸収してもその反対側を確実に未使用の状態とすることができる。
【発明の効果】
【００１９】
以上の通り本発明によれば、アウターを汚さずにリバーシブル可能なパッドタイプ吸収性物品となる、等の利点がもたらされる。
【図面の簡単な説明】
【００２０】
【図１】パッドタイプ吸収性物品の展開状態の表面側を示す平面図である。
【図２】パッドタイプ吸収性物品の展開状態の裏面側を示す平面図である。
【図３】図１のＡ−Ａ断面図である。
【図４】図１のＡ−Ａ断面図である。
【図５】図１のＢ−Ｂ断面図である。
【図６】図１のＣ−Ｃ断面図である。
【図７】他のパッドタイプ吸収性物品を示す図１のＡ−Ａ断面相当の断面図である。
【図８】他のパッドタイプ吸収性物品を示す図１のＢ−Ｂ断面相当の断面図である。
【図９】他のパッドタイプ吸収性物品を示す図１のＣ−Ｃ断面相当の断面図である。
【図１０】使用における状態変化を概略的に示す説明図である。
【図１１】使用における状態変化を概略的に示す説明図である。
【発明を実施するための形態】
【００２１】
以下、本発明の一実施形態について添付図面を参照しつつ説明する。
図１〜図６は、リバーシブル型パッドタイプ吸収性物品を示している。素材の貼り合わせ部分は、ホットメルト接着剤、ヒートシール、超音波シールにより形成でき、図示形態では接着剤部分を点模様で示されている。
【００２２】
このパッドタイプ吸収性物品は、使い捨ておむつや布の下着等のアウターの内面に敷いて使用されることを想定したものであり、股間部Ｃ、その前後両側に延在する腹側部分Ｆ及び背側部分Ｂを有するものである。なお、「股間部」とは使用時に身体の股間と対応させる部分を意味し、殆ど多くの製品では前後方向中央部及びその前後近傍の部分である。各部の寸法は適宜定めることができ、例えば成人向け製品の場合、物品全長Ｌ（前後方向長さ）は４５０〜６３０ｍｍ程度、物品全幅Ｗは１３５〜３２０ｍｍ程度とすることができる。
【００２３】
特徴的には、パッドタイプ吸収性物品は、吸収体２３を内蔵し、表裏両面から吸収可能な本体部１と、本体部１の表裏両面に対して着脱自在であり、かつ装着面を被覆可能な液不透過性のカバーシート４０と、を備えており、本体部１におけるカバーシート４０の装着面を選択的に変更可能となっている。使用に際しては、図１０（ａ）に示すように、裏面にカバーシート４０が装着され、表面側に汚れ１００が付着した場合、図４及び図１０（ｂ）に示すように、カバーシート４０を使用済みの面の上に移動して使用済みの面を被覆するとともに、使用済みの面と反対側の面を露出させ、図１０（ｃ）に示すように裏返して、肌側の面を実質的に新しい吸収面として装着し、使用する。よって、使用済みの面はカバーシート４０により被覆されるため、使用済みの面によりアウターが汚れるのは防止される。
【００２４】
カバーシート４０の素材は液不透過性である限り特に限定されず、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２５】
カバーシート４０の本体部１に対するズレを防止するために、図２及び図３に示すように、カバーシート４０の表裏両面にズレ止め部３０が設けられているのは一つの好ましい形態である。これにより、図３及び図４に示すように、カバーシート４０が本体部１の表裏いずれ側にあっても、カバーシート４０及び本体部１間のズレ、並びに本体部１及びアウター間のズレの両方を止めることができるようになる。
【００２６】
ズレ止め部３０は、メカニカルファスナー（面ファスナー）のフック材（雄材）や粘着剤等のように、本体部１やアウターに着脱自在に固定可能なものの他、ゴム等のように滑り止め機能のみとすることもできる。粘着剤としては、不織布やシートに着脱しても粘着力が低下し難いものが好ましい。また、フック材や粘着剤を用いる場合、本体部１におけるズレ止め部３０の対向部位に、着脱に適した素材を用いることができる。図示形態において、ズレ止め部３０をフック材により形成する場合は、本体部１の外面を不織布で形成するだけでも良いが、本体部１におけるズレ止め部３０の対向部位にはフック材の着脱に適したループ材（雌材）や、粘着剤の着脱に適した樹脂シート等の専用のターゲット部材を設けておくこともできる。
【００２７】
ズレ止め部３０の位置は適宜定めることができるが、図示形態のように、カバーシート４０の少なくとも前後端部に設けることが望ましい。前端部から後端部にわたり連続する帯状のズレ止め部３０を幅方向に複数本設けたり、幅の広いものを一本設けたりすることも可能である（図示略）。ズレ止め部３０は、剥離シート（図示略）により剥離可能に被覆しておき、使用時に剥離シートを剥離することにより露出させる構成としても良い。
【００２８】
カバーシート４０は全体を本体部１から着脱自在とすることもできるが、カバーシート４０の装着面を変更するときにカバーシート４０を落としてしまうおそれや、適切な位置に装着できないおそれがある。そこで、図示形態のように、ズレ止め部３０を、フック材や粘着剤等のように本体部１に着脱自在に固定可能なものとするとともに、カバーシート４０の前後両端部を本体部１の前後両端部にそれぞれ固定し、これら固定部間の部分における少なくとも一方の固定部側の端部にカバーシート４０を破断するためのミシン目４１を設けることも提案する。この場合、図１１に示すように、カバーシート４０を前後方向のいずれか一方の端部でミシン目４１により切り離し、他方は繋げたまま、切り離した方の端部を掴んで本体部１の反対面に回してズレ止め部３０で当該反対面に固定することにより、カバーシート４０の装着面を変更することができる。この際、カバーシート４０の全体を本体部１から切り離さないため、カバーシート４０を落としてしまうおそれがなくなり、また、適切な位置に装着し易くなる。カバーシート４０を本体部１に固定する場合、その固定手段は特に限定されないが、ホットメルト接着剤、又はヒートシールや超音波溶着等の溶着加工とすることが望ましい。
【００２９】
また、カバーシート４０の両側部に、細長状弾性部材等からなるカバーシート弾性部材４２を前後方向に伸長した状態でそれぞれ取り付けるのも好ましい形態である。特に図示形態のように、吸収体２３の股間部Ｃに前後両側よりも幅の狭い括れ部分２３Ｎが形成されている場合、この括れ部分２３Ｎと重なる位置にカバーシート弾性部材４２を配置することが望ましい。これにより、各カバーシート弾性部材４２弾性部材の収縮によりカバーシート４０の両側部が前後方向に伸長可能に収縮し、カバーシート４０が本体部１に対してフィットし、本体部１に対するカバーシート４０のズレが防止される。
【００３０】
本体部１は表裏両面から吸収可能である限り、その構造は特に限定されないが、図３〜図６に示すように、液不透過性シート２１の表裏両側に吸収体２３を設け、表側の吸収体２３の表側、及び裏側の吸収体２３の裏側を液透過性シート２２によりそれぞれ被覆した構造を採用することが望ましい。このように吸収体２３を二層構造とし、吸収体２３間を液不透過性シート２１で遮断することにより、吸収液が表裏いずれか一方側の吸収体２３から他方側の吸収体２３に移行しないため、液不透過性シート２１の使用側で排泄物を吸収してもその反対側を確実に未使用の状態とすることができる。もちろん、図７〜図９に示すように吸収体２３を二層構造としつつ、その間に液不透過性シート２１を介在させない形態や、この形態の吸収体２３を一層構造とした形態（図示略）を採用することもできる。
【００３１】
吸収体２３としては、パルプ繊維の積繊体、セルロースアセテート等のフィラメントの集合体、あるいは不織布を基本とし、必要に応じて高吸収性ポリマーを混合、固着等してなるもの等、公知のものを特に限定無く用いることができる。必要に応じて、吸収体２３はクレープ紙等の液透過性の包装シート２３Ｌにより包むことができる。また、吸収体２３の形状は、相対的に前側の部分が後側の部分よりも幅広な帯状、あるいは長方形状、砂時計状等、適宜の形状とすることができる。吸収体２３における繊維目付け及び吸収性ポリマーの目付けは適宜定めることができるが、繊維目付けは２００〜６００ｇ／ｍ2程度とするのが好ましく、また吸収性ポリマーの目付けは１００〜３００ｇ／ｍ2程度とするのが好ましい。
【００３２】
吸収体２３の間に介在される液不透過性シート２１としては、カバーシート４０同様の素材から選択することができる。液不透過性シート２１の寸法は、吸収体２３と同じか又は周縁よりある程度食み出す程度とすることが望ましいが、吸収体２３と重なる部分の一部（例えば股間部Ｃ）のみに設けることもできる。
【００３３】
液透過性シート２２は吸収体２３を覆って吸収面を形成するものである。図示形態では液透過性シート２２は吸収体２３の側縁を回り込んで反対側に達しているが、吸収体２３の側方に延在して、液不透過性シート２１等の他の部材に接合される構造とすることもできる。液透過性シート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３４】
パッドタイプ吸収性物品の前後方向両端部では、図３に示すように、液透過性シート２２が吸収体２３の前後端よりも前後両側にそれぞれ延在されて貼り合わされ、吸収体２３の存在しないエンドフラップ部ＥＦが形成されている。図示形態では、このエンドフラップ部ＥＦのシート間にカバーシート４０の前後端部が挟持されて、カバーシート４０の前後端部が本体部１に着脱しないように固定されているが、カバーシート４０をエンドフラップ部ＥＦの表面又は裏面に固定したり、エンドフラップ部ＥＦ以外の部分に固定したりすることも可能である。前述のようにカバーシート４０全体を着脱可能とする場合には、このような本体部１に対する固定は省略することができる。
【００３５】
本形態のパッドタイプ吸収性物品においては、脚周りに対するフィット性を高めて横漏れを防止するために、本体部１の両側部に立体ギャザー２４がそれぞれ前後方向に沿って延在されている。より詳細には、この立体ギャザー２４は、折り返して二重にしたギャザーシート２４ｓ、及びギャザーシート２４ｓ間に設けられたギャザー弾性部材２４ｇを構成要素とし、本体部１の側部に固定された付根部分２４Ａと、この付根部分２４Ａから本体部１の使用側に突出する突出部分２４Ｂと、この突出部分２４Ｂのうち前後端部にそれぞれ設けられた倒伏部分２４Ｃと、突出部分２４Ｂのうち前後の倒伏部分２４Ｃ間に位置する非固定の自由部分２４Ｆとを有しており、この自由部分２４Ｆの少なくとも先端部に、ギャザー弾性部材２４ｇを前後方向に伸張した状態で固定してなるものとなっている。
【００３６】
ギャザーシート２４ｓの素材としては、プラスチックシートやメルトブローン不織布を使用することもできるが、肌への感触性の点で、不織布にシリコンなどにより撥水処理をしたものが好適に使用される。また、ギャザー弾性部材２４ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３７】
特徴的には、突出部分２４Ｂは、付根部分２４Ａから幅方向中央側に向かって延出する基端側部分Ｂ１と、この基端側部分Ｂ１の先端から幅方向外側に折り返された先端側部分Ｂ２とからなっており、倒伏部分２４Ｃには、基端側部分Ｂ１の内面と本体部１とを着脱可能に係止する基端側係止手段Ｍ１と、先端側部分Ｂ２の外面と基端側部分Ｂ１の外面とを着脱可能に係止する先端側係止手段Ｍ２とが設けられており、これら基端側係止手段Ｍ１及び先端側係止手段Ｍ２による係止により突出部分２４Ｂの前後端部が倒伏状態で本体部１に対して固定される。
【００３８】
基端側係止手段Ｍ１及び先端側係止手段Ｍ２としては、メカニカルファスナー（面ファスナー）のフック材（雄材）や粘着剤等を用いることができる。基端側係止手段Ｍ１は、基端側部分Ｂ１の内面に設けることが望ましいが、本体部１の外面（図示形態では液透過性シート２２）に設けたり、双方に設けたりすることもできる。また、先端側係止手段Ｍ２は、先端側部分Ｂ２の外面に設けることが望ましいが、基端側部分Ｂ１の外面に設けたり、双方に設けたりすることもできる。
【００３９】
使用後に使用面を変更する際には、図６及び図１０に示すように、立体ギャザー２４の基端側係止手段Ｍ１及び先端側係止手段Ｍ２による係止を外して、突出部分２４Ｂを本体部１の反対側に裏返した状態で、再び基端側係止手段Ｍ１及び先端側係止手段Ｍ２をそれぞれ係止し、倒伏部分２４Ｃを形成することにより、反対側の面に立体ギャザー２４を移動させることができる。もちろん、立体ギャザー２４は省略することも可能である。
【産業上の利用可能性】
【００４０】
本発明は、パッドタイプ吸収性物品である限り、尿とりパッド等のパッドタイプ使い捨ておむつの他、生理用ナプキンにも利用可能である。
【符号の説明】
【００４１】
Ｂ…背側部分、Ｃ…股間部、ＥＦ…エンドフラップ部、Ｆ…腹側部分、１…本体部、  ２１…液不透過性シート、２２…液透過性シート、２３…吸収体、２３Ｌ…包装シート、２３Ｎ…括れ部分、２４…立体ギャザー、２４Ａ…付根部分、２４Ｂ…突出部分、２４Ｃ…倒伏部分、２４ｇ…ギャザー弾性部材、２４ｓ…ギャザーシート、３０…ズレ止め部、４０…カバーシート、４１…ミシン目、４２…カバーシート弾性部材。
【図１】
2015123183.tif 000003
【図２】
2015123183.tif 000004
【図３】
2015123183.tif 000005
【図４】
2015123183.tif 000006
【図５】
2015123183.tif 000007
【図６】
2015123183.tif 000008
【図７】
2015123183.tif 000009
【図８】
2015123183.tif 000010
【図９】
2015123183.tif 000011
【図１０】
2015123183.tif 000012
【図１１】
2015123183.tif 000013